(57)【要約】【課題】ユーザが必要とする画面情報を制限すること無く、かつ周囲にいる携帯電話端末を利用していない人を含めた不特定多数に対し広告情報を提供することにある。【解決手段】携帯端末１０は、広告表示プログラム取得要求を行うことにより広告業者サーバ３０から広告情報付き広告表示プログラムを取得し、取得した広告表示プログラムを実行することにより背面表示部１３に広告情報を表示する。広告表示プログラムを実行する場合は、音声通話時またはメール作成時である。【選択図】      図１
2005073114.tif 000002
【特許請求の範囲】
【請求項１】
背面表示部を備えた携帯端末が接続先の広告業者サーバから広告情報を取得して表示する携帯端末を使用した電子広告システムであって、
前記携帯端末は、
前記広告業者サーバから広告情報付き広告表示プログラムを取得する取得手段と、
前記取得手段により取得した広告表示プログラムを実行する実行手段と、
前記実行手段により取得した広告表示プログラムを実行することにより前記背面表示部に前記広告情報を表示する表示手段と、を有することを特徴とする携帯端末を使用した電子広告システム。
【請求項２】
背面表示部を有する携帯端末と、広告業者サーバと、無線通信網側の前記携帯端末とインターネット網側の前記広告業者サーバとの中継を行う接続サーバとを備えた携帯端末を使用した電子広告システムであって、
前記広告業者サーバは、広告情報付き広告表示プログラムを保存する第１の保存手段と、
前記携帯電話端末からの広告表示プログラム取得要求により前記広告情報付き広告表示プログラムをダウンロードするダウンロード手段と、を有し、
前記携帯電話端末は、前記広告表示プログラム取得要求により前記広告業者サーバから取得した広告情報付き広告表示プログラムを保存する第２の保存手段と、
前記第２の保存手段により保存した広告表示プログラムを実行する実行手段と、
前記実行手段により前記保存した広告表示プログラムを実行することにより前記背面表示部に前記広告情報を表示する表示手段と、を有することを特徴とする携帯端末を使用した電子広告システム。
【請求項３】
前記実行手段は、音声通話時に前記広告表示プログラムを実行することを特徴とする請求項１または２記載の携帯端末を使用した電子広告システム。
【請求項４】
前記実行手段は、メール作成時に前記広告表示プログラムを実行することを特徴とする請求項１，２，または３記載の携帯端末を使用した電子広告システム。
【請求項５】
前記実行手段は、自端末が開状態時に前記広告表示プログラムを実行することを特徴とする請求項１または２記載の携帯端末を使用した電子広告システム。
【請求項６】
前記接続サーバは、携帯端末と前記広告業者サーバとの間で通信パスが張られている間に送受信されたパケット数から費用を算出する算出手段と、
その算出した費用を前記広告業者サーバに対して請求する請求手段と、を有することを特徴とする請求項２記載の携帯端末を使用した電子広告システム。
【請求項７】
前記広告業者サーバは、前記広告表示プログラムを前記携帯端末にダウンロードした場合にその広告表示プログラムのダウンロードした時間情報を含む利用履歴情報をユーザ別に保存する第３の保存手段を有し、
前記ダウンロード手段は、前記携帯端末から前記広告表示プログラム取得要求があった場合に前記第３の保存手段に保存された利用履歴情報からあらかじめ規定された期間利用していなければ前記広告情報付き広告表示プログラムをダウンロードすることを特徴とする請求項２記載の携帯端末を使用した電子広告システム。
【請求項８】
前記広告業者サーバは、前記広告表示プログラムを前記携帯端末にダウンロードした場合にその広告表示プログラムのレビジョンを含む利用履歴情報をユーザ別に保存する第３の保存手段を有し、
前記ダウンロード手段は、前記携帯端末から前記広告表示プログラム取得要求があった場合に前記第３の保存手段に保存された利用履歴情報から取得要求のあった広告表示プログラムが最新のレビジョンになっていなければ前記広告情報付き広告表示プログラムをダウンロードすることを特徴とする請求項２記載の携帯端末を使用した電子広告システム。
【請求項９】
前記広告情報は、静止画、動画、文字情報の内１つ以上を含む情報であることを特徴とする請求項１，２，７，または８記載の電子広告システム。
【請求項１０】
背面表示部を備えた携帯端末が接続先の広告業者サーバから広告情報を取得して表示する携帯端末を使用した電子広告表示方法であって、
前記携帯端末が、広告表示プログラム取得要求を行うことにより前記広告業者サーバから広告情報付き広告表示プログラムを取得するステップと、
前記携帯端末が、前記取得した広告表示プログラムを実行するステップと、
前記携帯端末が、前記取得した広告表示プログラムを実行することにより前記背面表示部に前記広告情報を表示するステップと、を含むことを特徴とする携帯端末を使用した電子広告表示方法。
【請求項１１】
背面表示部を有する携帯端末と、広告業者サーバと、無線通信網側の前記携帯端末とインターネット網側の前記広告業者サーバとの中継を行う接続サーバとを備えた携帯端末を使用した電子広告表示方法であって、
前記広告業者サーバが、広告情報付き広告表示プログラムを保存する第１のデータベースを備え、
前記広告業者サーバが、前記携帯端末からの広告表示プログラム取得要求があった場合に前記第１のデータベースから前記広告情報付き広告表示プログラムを読み出して前記電話端末にダウンロードするステップと、
前記携帯端末が、前記広告表示プログラム取得要求により前記広告業者サーバから取得した広告情報付き広告表示プログラムを記憶部に保存するステップと、
前記携帯端末が、前記記憶部に保存した広告表示プログラムを実行するステップと、
前記携帯端末が、前記広告表示プログラムを実行することにより前記背面表示部に前記広告情報を表示するステップと、を含むことを特徴とする携帯端末を使用した電子広告表示方法。
【請求項１２】
前記携帯端末が、前記広告表示プログラムを実行する場合には音声通話時に前記広告表示プログラムを実行するステップを含むことを特徴とする請求項１０または１１記載の携帯端末を使用した電子広告表示方法。
【請求項１３】
前記携帯端末が、前記広告表示プログラムを実行する場合にはメール作成時に前記広告表示プログラムを実行するステップを含むことを特徴とする請求項１０，１１，または１２記載の携帯端末を使用した電子広告表示方法。
【請求項１４】
前記携帯端末が、前記広告表示プログラムを実行する場合には自端末が開状態時に前記表示プログラムを実行することを特徴とする請求項１０または１１記載の携帯端末を使用した電子広告表示方法。
【請求項１５】
前記接続サーバが、携帯端末と前記広告業者サーバとの間で通信パスが張られている間に送受信されたパケット数から費用を算出するステップと、
その算出した費用を前記広告業者サーバに対して請求するステップと、を含むことを特徴とする請求項１１記載の携帯端末を使用した電子広告表示方法。
【請求項１６】
前記広告業者サーバが、前記広告表示プログラムを前記携帯端末にダウンロードした場合にその広告表示プログラムのダウンロードした時間情報を含む利用履歴情報をユーザ別に第２のデータベースに保存するステップと、
前記広告業者サーバが、前記広告情報付き広告表示プログラムをダウンロードする場合には前記携帯端末から前記広告表示プログラム取得要求があった場合に前記第２のデータベースに保存された利用履歴情報からあらかじめ規定された期間利用していなければ前記広告情報付き広告表示プログラムをダウンロードするステップと、を含むことを特徴とする請求項１１記載の携帯端末を使用した電子広告表示方法。
【請求項１７】
前記広告業者サーバが、前記広告表示プログラムを前記携帯端末にダウンロードした場合にその広告表示プログラムのレビジョンを含む利用履歴情報をユーザ別に第２のデータベースに保存するステップと、
前記広告業者サーバが、前記広告情報付き広告表示プログラムをダウンロードする場合には前記携帯端末から前記広告表示プログラム取得要求があった場合に前記第２のデータベースに保存された利用履歴情報から取得要求のあった広告表示プログラムが最新のレビジョンになっていなければ前記広告情報付き広告表示プログラムをダウンロードするステップと、を含むことを特徴とする請求項１１記載の携帯端末を使用した電子広告表示方法。
【請求項１８】
前記広告情報は、静止画、動画、文字情報の内１つ以上を含む情報であることを特徴とする請求項１０，１１，１６，または１７記載の電子広告表示方法。
【請求項１９】
コンピュータに実行させる広告表示プログラムであって、
背面表示部に広告情報を表示するステップを含む処理を前記コンピュータに実行させる広告表示プログラム。
【請求項２０】
前記広告情報は、静止画、動画、文字情報の内１つ以上を含む情報であることを特徴とする請求項１９記載の広告表示プログラム。
【請求項２１】
コンピュータに実行させる広告表示対応プログラムであって、
広告表示プログラム取得要求を行うことで前記広告業者サーバから広告情報付き広告表示プログラムを取得するステップと、
音声通話時に前記取得した広告表示プログラムを実行させるステップと、
前記取得した広告表示プログラムを実行させることにより前記背面表示部に前記広告情報を表示させるステップと、を含む処理をコンピュータに実行させる広告表示対応プログラム。
【請求項２２】
コンピュータに実行させる広告表示対応プログラムであって、
広告表示プログラム取得要求を行うことで前記広告業者サーバから広告情報付き広告表示プログラムを取得するステップと、
メール作成時に前記取得した広告表示プログラムを実行させるステップと、
前記取得した広告表示プログラムを実行させることにより前記背面表示部に前記広告情報を表示させるステップと、を含む処理をコンピュータに実行させる広告表示対応プログラム。
【請求項２３】
メール作成時に前記取得した広告表示プログラムを実行させるステップを含む処理をコンピュータに実行させる請求項２１記載の広告表示対応プログラム。
【請求項２４】
コンピュータに実行させる広告表示対応プログラムであって、
広告表示プログラム取得要求を行うことで前記広告業者サーバから広告情報付き広告表示プログラムを取得するステップと、
前記コンピュータ本体の折りたたみ蓋が開状態に前記取得した広告表示プログラムを実行させるステップと、
前記取得した広告表示プログラムを実行させることにより前記背面表示部に前記広告情報を表示させるステップと、を含む処理をコンピュータに実行させる広告表示対応プログラム。
【請求項２５】
前記広告情報は、静止画、動画、文字情報の内１つ以上を含む情報であることを特徴とする請求項２１，２２，または２４記載の広告表示対応プログラム。
【発明の詳細な説明】
【技術分野】
【０００１】
本発明は、携帯端末を使用した電子広告システムおよび表示方法、広告表示プログラム、並びに広告表示対応プログラムに関し、特に、携帯端末の背面表示部を広告情報の表示を行う携帯端末を使用した電子広告システムおよび表示方法、広告表示プログラム、並びに広告表示対応プログラムに関する。
【背景技術】
【０００２】
従来、携帯端末を使用した電子広告システムとして、例えば、特開２００２−１６５０２８号公報が開示されている。この特開２００２−１６５０２８号公報には、携帯電話端末正面の表示部に広告を表示することで無料通話等を提供するモデルに関して言及されている。
【０００３】
【特許文献１】特開２００２−１６５０２８号公報
【発明の開示】
【発明が解決しようとする課題】
【０００４】
しかしながら、近年、カメラ付き端末の普及により大型の背面ＬＣＤを備えた端末が急増しているが、これらの背面ＬＣＤは音声通話やメール作成時には、特に活用されていないという事実が有る。例えば、上記の特開２００２−１６５０２８号公報では、携帯電話端末前面の表示部に広告を表示することで無料通話等を提供するモデルに関して言及されているが、音声通話時には前面画面表示部はあまり着目されないという問題点が有り、更に広告の対象が携帯電話使用者に限定されるという問題点が有り、広告の効果としては低いと言わざるを得ない状況である。
【０００５】
また、特開２００２−１６５０２８号公報では、通常の表示エリアの一部を広告で使用することにより、画面表示可能な情報量が削減されてしまい、ユーザの使用感を損ねるという問題点もある。
【０００６】
本発明の目的は、上記問題点を鑑み、ユーザが必要とする画面情報を制限すること無く、かつ周囲にいる携帯電話端末を利用していない人を含めた不特定多数に対し広告情報を提供することにある。
【課題を解決するための手段】
【０００７】
本発明の第１の携帯端末を使用した電子広告システムは、背面表示部を備えた携帯端末が接続先の広告業者サーバから広告情報を取得して表示する携帯端末を使用した電子広告システムであって、前記携帯端末は、前記広告業者サーバから広告情報付き広告表示プログラムを取得する取得手段と、前記取得手段により取得した広告表示プログラムを実行する実行手段と、前記実行手段により取得した広告表示プログラムを実行することにより前記背面表示部に前記広告情報を表示する表示手段と、を有することを特徴としている。
【０００８】
また、本発明の第２の携帯端末を使用した電子広告システムは、背面表示部を有する携帯端末と、広告業者サーバと、無線通信網側の前記携帯端末とインターネット網側の前記広告業者サーバとの中継を行う接続サーバとを備えた携帯端末を使用した電子広告システムであって、前記広告業者サーバは、広告情報付き広告表示プログラムを保存する第１の保存手段と、前記携帯電話端末からの広告表示プログラム取得要求により前記広告情報付き広告表示プログラムをダウンロードするダウンロード手段と、を有し、前記携帯電話端末は、前記広告表示プログラム取得要求により前記広告業者サーバから取得した広告情報付き広告表示プログラムを保存する第２の保存手段と、前記第２の保存手段により保存した広告表示プログラムを実行する実行手段と、前記実行手段により前記保存した広告表示プログラムを実行することにより前記背面表示部に前記広告情報を表示する表示手段と、を有することを特徴としている。
【０００９】
更に、上記の第１または第２の携帯端末を使用した電子広告システムにおいて、前記実行手段は、音声通話時に前記広告表示プログラムを実行することを特徴としている。
【００１０】
更に、上記の第１または第２の携帯端末を使用した電子広告システムにおいて、前記実行手段は、メール作成時に前記広告表示プログラムを実行することを特徴としている。
【００１１】
更に、上記の第１または第２の携帯端末を使用した電子広告システムにおいて、前記実行手段は、自端末が開状態時に前記広告表示プログラムを実行することを特徴としている。
【００１２】
更に、上記の第２の携帯端末を使用した電子広告システムにおいて、前記接続サーバは、携帯端末と前記広告業者サーバとの間で通信パスが張られている間に送受信されたパケット数から費用を算出する算出手段と、その算出した費用を前記広告業者サーバに対して請求する請求手段と、を有することを特徴としている。
【００１３】
更に、上記の第２の携帯端末を使用した電子広告システムにおいて、前記広告業者サーバは、前記広告表示プログラムを前記携帯端末にダウンロードした場合にその広告表示プログラムのダウンロードした時間情報を含む利用履歴情報をユーザ別に保存する第３の保存手段を有し、前記ダウンロード手段は、前記携帯端末から前記広告表示プログラム取得要求があった場合に前記第３の保存手段に保存された利用履歴情報からあらかじめ規定された期間利用していなければ前記広告情報付き広告表示プログラムをダウンロードすることを特徴としている。
【００１４】
更に、上記の第２の携帯端末を使用した電子広告システムにおいて、前記広告業者サーバは、前記広告表示プログラムを前記携帯端末にダウンロードした場合にその広告表示プログラムのレビジョンを含む利用履歴情報をユーザ別に保存する第３の保存手段を有し、
前記ダウンロード手段は、前記携帯端末から前記広告表示プログラム取得要求があった場合に前記第３の保存手段に保存された利用履歴情報から取得要求のあった広告表示プログラムが最新のレビジョンになっていなければ前記広告情報付き広告表示プログラムをダウンロードすることを特徴としている。
【００１５】
更に、上記の第１または第２の携帯端末を使用した電子広告システムにおいて、前記広告情報は、静止画、動画、文字情報の内１つ以上を含む情報であることを特徴としている。
【００１６】
また、本発明の第１の携帯端末を使用した電子広告表示方法は、背面表示部を備えた携帯端末が接続先の広告業者サーバから広告情報を取得して表示する携帯端末を使用した電子広告表示方法であって、前記携帯端末が、広告表示プログラム取得要求を行うことにより前記広告業者サーバから広告情報付き広告表示プログラムを取得するステップと、前記携帯端末が、前記取得した広告表示プログラムを実行するステップと、前記携帯端末が、前記取得した広告表示プログラムを実行することにより前記背面表示部に前記広告情報を表示するステップと、を含むことを特徴としている。
【００１７】
また、本発明の第２の携帯端末を使用した電子広告表示方法は、背面表示部を有する携帯端末と、広告業者サーバと、無線通信網側の前記携帯端末とインターネット網側の前記広告業者サーバとの中継を行う接続サーバとを備えた携帯端末を使用した電子広告表示方法であって、前記広告業者サーバが、広告情報付き広告表示プログラムを保存する第１のデータベースを備え、前記広告業者サーバが、前記携帯端末からの広告表示プログラム取得要求があった場合に前記第１のデータベースから前記広告情報付き広告表示プログラムを読み出して前記電話端末にダウンロードするステップと、前記携帯端末が、前記広告表示プログラム取得要求により前記広告業者サーバから取得した広告情報付き広告表示プログラムを記憶部に保存するステップと、前記携帯端末が、前記記憶部に保存した広告表示プログラムを実行するステップと、前記携帯端末が、前記広告表示プログラムを実行することにより前記背面表示部に前記広告情報を表示するステップと、を含むことを特徴としている。
【００１８】
更に、上記の第１または第２の携帯端末を使用した電子広告表示方法において、前記携帯端末が、前記広告表示プログラムを実行する場合には音声通話時に前記広告表示プログラムを実行するステップを含むことを特徴としている。
【００１９】
更に、上記の第１または第２の携帯端末を使用した電子広告表示方法において、前記携帯端末が、前記広告表示プログラムを実行する場合にはメール作成時に前記広告表示プログラムを実行するステップを含むことを特徴としている。
【００２０】
更に、上記の第１または第２の携帯端末を使用した電子広告表示方法において、前記携帯端末が、前記広告表示プログラムを実行する場合には自端末が開状態時に前記広告表示プログラムを実行することを特徴としている。
【００２１】
更に、上記の第２の携帯端末を使用した電子広告表示方法において、前記接続サーバが、携帯端末と前記広告業者サーバとの間で通信パスが張られている間に送受信されたパケット数から費用を算出するステップと、その算出した費用を前記広告業者サーバに対して請求するステップと、を含むことを特徴としている。
【００２２】
更に、上記の第２の携帯端末を使用した電子広告表示方法において、前記広告業者サーバが、前記広告表示プログラムを前記携帯端末にダウンロードした場合にその広告表示プログラムのダウンロードした時間情報を含む利用履歴情報をユーザ別に第２のデータベースに保存するステップと、前記広告業者サーバが、前記広告情報付き広告表示プログラムをダウンロードする場合には前記携帯端末から前記広告表示プログラム取得要求があった場合に前記第２のデータベースに保存された利用履歴情報からあらかじめ規定された期間利用していなければ前記広告情報付き広告表示プログラムをダウンロードするステップと、を含むことを特徴としている。
【００２３】
更に、上記の第２の携帯端末を使用した電子広告表示方法において、前記広告業者サーバが、前記広告表示プログラムを前記携帯端末にダウンロードした場合にその広告表示プログラムのレビジョンを含む利用履歴情報をユーザ別に第２のデータベースに保存するステップと、前記広告業者サーバが、前記広告情報付き広告表示プログラムをダウンロードする場合には前記携帯端末から前記広告表示プログラム取得要求があった場合に前記第２のデータベースに保存された利用履歴情報から取得要求のあった広告表示プログラムが最新のレビジョンになっていなければ前記広告情報付き広告表示プログラムをダウンロードするステップと、を含むことを特徴としている。
【００２４】
更に、上記の第１または第２の携帯端末を使用した電子広告表示方法において、前記広告情報は、静止画、動画、文字情報の内１つ以上を含む情報であることを特徴としている。
【００２５】
また、本発明の広告表示プログラムは、コンピュータに実行させる広告表示プログラムであって、背面表示部に広告情報を表示するステップを含む処理を前記コンピュータに実行させる。
【００２６】
更に、上記の広告表示プログラムにおいて、前記広告情報は、静止画、動画、文字情報の内１つ以上を含む情報であることを特徴としている。
【００２７】
また、本発明の第１の広告表示対応プログラムは、コンピュータに実行させる広告表示対応プログラムであって、広告表示プログラム取得要求を行うことで前記広告業者サーバから広告情報付き広告表示プログラムを取得するステップと、音声通話時に前記取得した広告表示プログラムを実行させるステップと、前記取得した広告表示プログラムを実行させることにより前記背面表示部に前記広告情報を表示させるステップと、を含む処理をコンピュータに実行させる。
【００２８】
また、本発明の第２の広告表示対応プログラムは、コンピュータに実行させる広告表示対応プログラムであって、広告表示プログラム取得要求を行うことで前記広告業者サーバから広告情報付き広告表示プログラムを取得するステップと、メール作成時に前記取得した広告表示プログラムを実行させるステップと、前記取得した広告表示プログラムを実行させることにより前記背面表示部に前記広告情報を表示させるステップと、を含む処理をコンピュータに実行させる。
【００２９】
更に、上記の第１の広告表示対応プログラムにおいて、メール作成時に前記取得した広告表示プログラムを実行させるステップを含む処理をコンピュータに実行させる。
【００３０】
また、本発明の第３の広告表示対応プログラムは、コンピュータに実行させる広告表示対応プログラムであって、広告表示プログラム取得要求を行うことで前記広告業者サーバから広告情報付き広告表示プログラムを取得するステップと、前記コンピュータ本体の折りたたみ蓋が開状態に前記取得した広告表示プログラムを実行させるステップと、前記取得した広告表示プログラムを実行させることにより前記背面表示部に前記広告情報を表示させるステップと、を含む処理をコンピュータに実行させる。
【００３１】
更に、上記の第１，第２，または第３の広告表示対応プログラムにおいて、前記広告情報は、静止画、動画、文字情報の内１つ以上を含む情報であることを特徴としている。
【発明の効果】
【００３２】
本発明は、携帯電話端末での音声通話時またはメール作成時に携帯電話端末が取得した広告表示プログラムを実行することにより通常使用されない背面表示部に広告表示するようにしているため、広告業者側は、携帯電話端末１０を使用しているユーザのみならず、周辺の不特定多数の人間に対して情報発信が可能となるため、非常に高い宣伝効果を得ることが出来るという効果がある。
【００３３】
また、本発明は、携帯電話端末で広告表示プログラムを実行することにより背面表示部に広告を表示するようにしているため、メール作成時等に必要とする前面表示部のエリアを広告による表示の一部のエリアを占有されないという効果がある。
【００３４】
また、本発明は、取得した広告表示プログラムを実行するようにしているため、システムの一部に既存のインフラを使用することにより、比較的安価に新たな広告チャネルを確立できるという効果がある。
【００３５】
また、本発明は、携帯電話端末と広告業者サーバとの間の使用料を広告業者側に負担するようにしているため、携帯電話端末のユーザ側は、従来の使用感を損なうこと無く一定量の無料通信を享受できるという効果がある。
【００３６】
また、本発明は、広告表示プログラムの取得要求があると、ユーザ情報と共にダウンロード実施の日付等の情報をデータベースに保存しておく様にし、同一ユーザによる一定期間内の再利用を制限するようにしているため、ダウンロードを繰り返すことによる不正請求を回避することができるという効果がある。
【発明を実施するための最良の形態】
【００３７】
まず、本発明の実施の形態を説明する前に、本発明の基本的な概要について説明する。
【００３８】
携帯電話端末、ＰＨＳ等の携帯端末の利用者自身が広告業者の持つ広告業者サーバにアクセスし、広告表示プログラムをダウンロードする。ダウンロードされた広告表示プログラムは音声通話時や、メールの作成時に実行され、携帯端末の背面表示部を用いて広告の表示を行う。また、広告業者サーバは、ユーザによって登録されたユーザ情報をデータベースに保存し、携帯電話キャリアである無線通信業者の接続サーバから費用請求が有った時に、データベースにて要求の正当性を確認した後に、携帯電話キャリアに対して一定量の通信料を払い込む。
【００３９】
次に、本発明を実施するための最良の形態について図面を参照して詳細に説明する。
【００４０】
図２を参照すると、本発明の実施の形態におけるシステムの構成を示すブロック図である。すなわち、本システムは、無線網９０１と、インターネット網９０２と、広告表示、及びユーザ情報の登録を行う為の携帯電話端末１０と、無線網９０１を介して携帯電話端末１０からの無線データを送受信する為の基地局２０と、基地局２０と専用線で接続され、インターネット網９０２にアクセス可能で携帯電話キャリア（無線通信事業者）側が管理している接続サーバ３０と、接続サーバ３０が管理し基地局２０がアクセス可能な顧客情報データベース４０と、インターネット網９０２に接続された広告業者サーバ５０と、広告業者サーバ５０が管理している広告情報データベース６１と、広告業者サーバ５０が管理しているユーザ管理データベース６２とから構成される。なお、携帯電話端末１０は、前面表示部の他に背面表示部を備えているものとする。また、基地局２０と接続サーバ３０とは、ＬＡＮで接続され、そのＬＡＮ上に顧客情報データベース４０が接続されている。
【００４１】
図２の接続サーバ３０は、図示していないプロセッサ（ＣＰＵ）によりプログラム制御で動作するパソコン、ワークステーション、サーバ等の情報処理装置である。接続サーバ３０は、携帯電話端末１０からのインターネット接続要求により広告業者サーバ５０等への接続を行う。
【００４２】
図２の広告業者サーバ５０は、図示していないプロセッサ（ＣＰＵ）によりプログラム制御で動作するパソコン、ワークステーション、サーバ等の情報処理装置である。広告業者サーバ５０は、携帯電話端末１０からの広告表示プログラム取得要求を受けると、広告情報データベース６１から広告情報付きの広告表示プログラムを読み出し、携帯電話端末１０にダウンロードする。
【００４３】
図２の顧客情報データベース４０は、図示していないプロセッサ（ＣＰＵ）によりプログラム制御で動作するサーバ内の不揮発性記録媒体装置（例えば、磁気ディスク）内のエリア内に割り当てられている。この顧客情報データベース４０には、図４に示すように、契約者のユーザＩＤの電話番号ごとにユーザが電話番号で使用している端末の識別情報である端末情報、ユーザが利用した課金情報、利用した時間を示す使用時間等の各エリアが割り当てられている。更に、端末情報のエリアには、背面表示部の対応の有無、機種名、等の各エリアが割り当てられている。更に、課金情報のエリアには、１回の通信パス接続時にかかった課金を示す課金と、１回の通信パス接続時にかかった課金で申請のあった広告業者のかかった課金（携帯端末１０と広告業者サーバ５０との間で使用した費用）を示す広告課金と、そのとき利用したサーバ名との各エリアが割り当てられている。
【００４４】
図２の広告情報データベース６１は、図示していない不揮発性の記録媒体装置（例えば、磁気ディスク）内のエリアに割り当てられており、広告業者サーバ５０によりアクセスされる。広告情報データベース６１には、図５に示すようにプログラム名ごとにプログラムのレビジョンを示すｒｅｖと、広告表示プログラムと、表示するための広告情報とを格納したエリアが割り当てられている。すなわち、広告表示プログラムのプログラム名がプログラム名のエリアに、その広告表示プログラムの最新のリビジョンがｒｅｖのエリアに、そのプログラム名に該当する広告表示プログラムがプログラムのエリアに、その表示プログラムの広告情報がデータのエリアに、それぞれ格納されている。
【００４５】
図２のユーザ管理データベース６１は、図示していない不揮発性の記録媒体装置（例えば、磁気ディスク）内のエリアに割り当てられており、広告業者サーバ５０によりアクセスされる。ユーザ管理データベース６２には、図６に示すようにユーザが登録したユーザ情報をユーザＩＤごとに管理ができるように、ユーザＩＤを示すユーザＩＤのエリア、ユーザが登録したユーザ情報であるユーザ情報のエリアと、ダウンロードしたプログラム名を示すプログラム名のエリアと、そのプログラムのレビジョンを示すｒｅｖのエリアと、ダウロードした時間（年月日時刻）を示すダウンロード時間のエリアと、その利用にあたって通信パスを張った時間帯（ｆｒｏｍ／ｔｏで年月日時刻）を示す利用時間のエリアと、携帯電話端末と接続することで発生した課金に関する情報を示す課金情報のエリアとが割り当てられている。更に、ユーザ情報のエリアには、電子メールアドレスを示す電子メールアドレスのエリア等が割り当てられており、課金情報のエリアには、利用したパケット数を示す利用パケット数のエリアと、利用パケット数から算出された費用を示す費用のエリアとが割り当てられている。
【００４６】
図１の本システムの内、携帯電話端末１０、基地局２０、接続サーバ３０，および顧客データベース４０に関しては、既存のシステムを流用することが可能であり、システム構築の為に新規追加もしくは変更が必要となるのは、広告業者サーバ５０と広告情報データベース６１とユーザ管理データベース６２である。
【００４７】
図３を参照すると、図２の携帯電話端末１０内の構成を示し、この携帯電話端末１０は、図示していないプロセッサ（ＣＰＵ）によりプログラム制御で動作する制御部１１と、文字、画像等を表示する前面表示部１２と、広告情報等を表示する背面表示部１３と、入力するためのテンキー、操作キー等からなる操作部１４と、制御部１１の制御の基で無線網９０１とデータのやり取りを行う無線部１５と、広告業者サーバ５０からダウンロードした広告表示プログラムを含む各種プログラムが格納されているプログラム記憶部１６と、広告業者サーバ５０からダウンロードした広告情報を保存する広告情報記憶部１７とから構成される。
【００４８】
図３の無線部１５は、無線網９０１から受信された信号に対してＡ／Ｄ変換し復調を行って得られた受信情報を制御部１１へ出力し、制御部１１から出力される送信情報に対して変調を行ってＤ／Ａ変換し無線網９０１に送信する。
【００４９】
図３のプログラム記憶部１６は、図示していない不揮発性メモリ（例えば、フラッシュメモリ）内のエリアに割り当てられており、このエリアに携帯電話端末１０が動作する上で必要な広告表示対応プログラムを含む各種プログラムが工場出荷時に格納され、更に、制御部１１が広告表示プログラムをダウンロードした場合に格納するエリアが割り当てられている。なお、この広告表示対応プログラムは、図示していない記録媒体（例えば、ＣＤ、ＦＤＤ等）に書き込んでおき、記録媒体装置を介してプログラム記憶部１６に書き込んでも良いし、インターネットを利用（例えば、広告業者サーバ５０内に保存しておき、広告業者からダウンロード、通信業者が管理しているサーバからダウンロード）してプログラム記憶部１６に書き込んでも良い。すなわち、この場合の携帯端末１０は、背面表示部１３を有するコンピュータとなる。
【００５０】
図３の広告情報記憶部１７は、図示していない不揮発性メモリ（例えば、フラッシュメモリ）内のエリアに割り当てられており、制御部１１が広告情報をダウンロードした場合に格納するエリアが割り当てられている。
【００５１】
図１を参照すると、携帯電話端末１０の外観の構成を示した構成図である。図２（ａ）は開状態（この場合の開状態とは、折りたたみ式の携帯電話端末１０を開いた状態を意味する）の前面側からみた前面図を示しており、前面表示部１と、操作部１４とを有する。図２（ｂ）は開状態で側面側からみた図で、前面側、背面側の区別を明確化している。図２（ｃ）は、開状態の背面側からみた背面図を示しており、背面表示部１３を有する。
【００５２】
顧客情報データベース４０は、図示していない不揮発性の記録媒体装置（例えば、磁気ディスク）内のエリアに割り当てられており、
次に、本発明を実施するための最良の形態の動作について図面を参照して説明する。
【００５３】
図２と図３を参照して本システムの概要を説明する。広告業者側は、事前に無線通信業者に対して、当該システムを利用する申請を行い、費用処理に関する契約を締結しておく必要が有る。この契約が締結された後で、広告表示プログラムおよびその広告情報を作成し、プログラム名ごとに広告業者サーバ５０を介して広告情報データベース６１に登録する。更に、広告業者側は、通信業者側に、メニュー登録申請を行うと、接続サーバ３０が管理している図示していない記憶部（例えば、磁気ディスク）に保存されているメニュー画面情報に広告表示サービスを行うサイトとして項目が追加される。（図７のシーケンスＡ１１，Ａ１２）。
【００５４】
携帯電話端末１０から接続サーバ３０に接続することによりメニュー画面情報を取得し、携帯電話端末１０の前面表示部１２に表示されるメニュー画面等を経て、ユーザ自身が携帯電話端末１０を操作部１４から操作し、広告表示プログラムのダウンロード要求を行うと、携帯電話端末１０の制御部１１は、無線部１５、無線網９０１を介して接続サーバ３０に要求する。（シーケンスＡ１３，Ａ１４）。
【００５５】
ダウンロード要求を受けた接続サーバ３０は、携帯電話端末１０の所有者のユーザ認証を行う。この場合、接続サーバ３０は、携帯電話端末１０で入力されたユーザＩＤとパスワードとが顧客情報データベース４０に登録されたユーザＩＤとパスワードとが一致すると、携帯電話端末１０から受信した端末識別情報を基に顧客情報データベース４０を検索して利用者の端末情報を取得し、インターネット網９０２を介して、ダウンロード要求と共に、一致したユーザＩＤと取得した利用者端末情報とを広告業者側サーバ５０に送出する。（シーケンスＡ１５，Ａ１６）。
【００５６】
ダウンロード要求を受けた広告業者側サーバ５０は、受信した端末情報を基に背面ＬＣＤを備えた端末で有ることを確認した後に、各種広告のメニューから広告の選択を促す広告選択メニュー画面情報を図示していない記憶部（例えば、磁気ディスク）から読み出して送信する。なお、広告業者サーバ５０がダウンロード要求を受け付けることで、通知のあったユーザＩＤの携帯電話端末１０と広告業者サーバ５０との間で通信パス（論理パス）が張られることになる。（シーケンスＡ１７）。
【００５７】
無線部１５を介して広告選択メニュー画面情報を受信した携帯電話端末１０の制御部１１は、前面表示部１２に広告選択メニュー画面を表示する。この携帯電話端末１０の前面表示部１２に表示された広告選択メニュー画面からユーザが希望する広告を選択すると、制御部１１は、選択した広告の識別情報（例えば、プログラム名）を広告業者サーバ５０に送信する。（シーケンスＡ１８）。
【００５８】
広告の識別情報を受信した広告業者サーバ５０は、広告表示プログラムの再利用制限のチェックを行うために、ユーザ管理データベース６２に要求のあったユーザＩＤが登録されているかを確認する。
【００５９】
ユーザＩＤが登録されていなければ、またはユーザＩＤが登録されており要求する広告表示プログラムがダウンロードされていなければ、または広告表示プログラムがダウンロードされていても一定期間すぎていれば（ユーザ管理データベース６２に登録されているダウンロード時間から規定の期間を過ぎていれば）、または広告表示プログラムがダウンロードされていても広告表示プログラムが規定の期間に関係なく更新されていなければ（ユーザ管理データベース６２に登録されているレビジョンが最新版になっていなければ）、広告業者サーバ５０は、広告の識別情報（プログラム名）に従って広告情報データベース６１から該当する広告表示プログラムとその広告表示プログラムにより表示される広告情報とをダウンロードする。（シーケンスＡ１９）。なお、ｒｅｖのチェックに関しては、広告業者サーバ５０は、広告情報データベース６１内の該当するプログラム名のｒｅｖと、ユーザ管理データベース６２内の該当するプログラム名で最新のダウンロード時間のｒｅｖとを比較することで、レビジョンが最新版になっていないかを確認する。
【００６０】
携帯電話端末１０の制御部１１は、無線部１５を介して受信した広告表示プログラムをプログラム記憶部１６に、その広告情報を広告情報記憶部１７に、それぞれ保存する。（シーケンスＡ２０）。
【００６１】
一方、シーケンスＡ１９において、広告情報付き広告表示プログラムの転送が完了した後に、広告業者サーバ５０は、新規ユーザであれば、携帯端末１０に対し、ユーザ登録画面情報を送信することでユーザ情報の登録を要求する。（シーケンスＡ２１）。
【００６２】
無線部１５を介してユーザ登録画面情報を受信した携帯電話端末１０の制御部１１は、前面表示部１２にユーザ登録画面を表示する。ユーザが操作部１４を利用した画面操作により、画面に従って電話番号、電子メール等のユーザ情報を操作部１４から入力すると、携帯電話端末１０の制御部１１は、入力されたユーザ情報を広告業者サーバ５０に送信する。（シーケンスＡ２２）。
【００６３】
すると、ユーザ情報を受信した広告業者サーバ５０は、受信したユーザ情報をダウンロードしたプログラム名、ｒｅｖ、ダウンロード時間、利用時間、課金情報（ユーザ端末１０と広告業者サーバ５０との間で送受信されたパケット数を基に算出）と共に、ユーザ管理データベース６２に登録し、終了する。（シーケンスＡ２３）。
【００６４】
終了することで携帯電話端末１０と広告業者５０との間の通信パス（論理パス）が解放されると、接続サーバ３０は、ユーザ端末１０と広告業者サーバ５０との間で送受信されたパケット数から費用を算出し、顧客情報データベース４０の該当するユーザＩＤの広告課金エリアに登録し、利用したサーバ名（例えば、広告業者サーバ５０のＵＲＬ）と、利用時間とを登録することでシステム利用の履歴を保存しておく。（シーケンスＡ２４）。
【００６５】
シーケンスＡ１８において、広告業者サーバ５０は、広告の識別情報を受信して、広告表示プログラムの再利用制限のチェックを行う場合に、ユーザＩＤが登録されており広告表示プログラムのダウンロード時間が規定の期間を過ぎていなければそのダウンロードできない旨を通知し、終了し、シーケンスＡ２４の処理に進む。（シーケンスＡ２５）。
【００６６】
このようにして、携帯電話端末１０と広告業者サーバ５０との間でパケットのやり取りが行われるごとに、接続サーバ３０および広告業者サーバ５０により費用が算出され、算出された費用が課金情報としてユーザ管理データベース６２と顧客情報データベース４０とに登録される。無線通信業者（キャリア）が携帯電話端末１０のユーザに対して費用請求を行う際に、接続サーバ３０は、顧客情報データベース４０にシステム利用の履歴が残っていれば、その月の使用料として、サーバ名と使用時間をキーとして検索し、ユーザごとに合計の広告課金を計算し、更に全ユーザの広告課金の合計を算出し、広告業者サーバ５０に対して費用請求を行う（例えば、電子メールで通知する）。費用請求を受けた広告業者サーバ５０は、請求された課金情報とユーザ管理データベース６２に格納されている課金情報との照合を行い、一致すれば費用の払い出しの手続を行う。（図８のシーケンスＡ３１）。
【００６７】
この後に、接続サーバ３０は、ユーザごとにその月の全使用料を顧客情報データベース４０から算出し、ユーザごとに算出した前使用料金から各ユーザＩＤに対応する広告課金を引いた残額を携帯電話ユーザに対して請求することで、ユーザに対して本システム利用に対する一定量の無料通信を獲得させる。（シーケンスＡ３２）。
【００６８】
上記のシーケンスＡ１３、Ａ１４において、例えば、携帯電話端末１０に表示されたメニュー画面に表示された項目を選択することにより広告表示対応プログラムを実行した制御部１１が、接続サーバ３０に対して広告表示プログラムのダウンロード要求を行い、シーケンスＡ１７，Ａ１８，Ａ１９に従って、広告表示プログラムを取得するようにしても良い。
【００６９】
次に、携帯電話端末１０に保存された広告表示プログラムの動作について、広告表示対応プログラムの動作を示す図９と図１０を参照して説明する。
【００７０】
携帯電話端末１０の制御部１１は、音声通話開始時（相手の電話機と呼接続設定時）またはメール作成開始（メニュー画面からのメール作成の項目を選択し、前面表示部１２にメール作成画面が表示する）時に、広告表示対応プログラムを実行する。すなわち、制御部１１は、広告表示プログラムがプログラム記憶部１６に格納されているかの確認を行う（図９のステップＳ１０１，Ｓ１０２）。
【００７１】
ステップＳ１０２において格納されていれば、制御部１１は、プログラム記憶部１６に格納されている広告表示プログラムの実行の開始を行う。（ステップＳ１０３）。
【００７２】
ステップＳ１０３による広告表示プログラムの動作としては、広告情報の表示が一連の表示の繰り返し（広告情報が何枚かの静止画像（文字情報を含んでも良い）があり、１枚ずつ連続して表示する）であれば、広告表示プログラムの実行を行った制御部１１は、広告情報記憶部１７からまず先頭の広告情報である静止画像を読み出して、背面表示部１７に表示し、図示していない内部タイマに割り込み時間を設定し、割り込んでも広告表示による割り込みがわかるように割り込み要因用のレジスタに設定し、内部タイマを起動させ、この内部タイマによるタイマ割り込みにより次々と静止画像を表示させて行く。そのため、制御部１１は、メール作成時の操作部１４からの割り込み処理が可能となる。
【００７３】
また、ステップＳ１０３による広告表示プログラムの動作としては、広告情報の表示が動画であれば、制御部１１は、広告表示プログラムを実行させ、実行中であっても、操作部１４からのキー操作による割り込み、その他処理の割り込みを許可させることにより動作を行う。
【００７４】
やがて、音声通話が終了するか、メール作成が終了すると、携帯電話端末１０の制御部１１は、広告表示対応プログラムを実行する。すなわち制御部１１は、広告表示プログラムが実行中であれば、表示プログラムの実行を終了させる。（図１０のステップＳ２０１〜Ｓ２０３）。
【００７５】
この場合の広告表示プログラムを終了させる動作としては、例えば、上記で説明した一連の表示の繰り返しであれば、広告表示プログラムで使用した内部タイマの割り込み要因を強制的にクリアすることで、広告表示プログラムを実行させないようにする。また、上記で説明した動画の場合は、強制的に表示プログラムを終了させる。
【００７６】
上記説明において、広告表示プログラムを実行する場合は、音声通話時またはメール作成時としたが、携帯電話端末１０が開状態（図１を参照：本体の折りたたみ蓋が開いた状態になっている）になっているときに、広告表示プログラムを実行するようにしても良い。この場合の処理としては、携帯電話端末１０を開状態にすると、制御部１１に割り込みがかかり、図９のフローチャートと同じ動作を行い、携帯端末１０を閉状態にすると、制御部１１に割り込みがかかり、図１０のフローチャートと同じ動作を行う。すなわち、携帯電話端末１０が開状態になっているときに、制御部１１が広告表示プログラムを実行することにより、背面表示部１３に広告情報を表示することになる。
【００７７】
ところで、音声通話時には、携帯電話端末が図１１の（１）に示す様に保持され、背面表示部１３が外側に向けられることになる。また、操作部１４に対する操作を伴うメール作成時の場合には、ほとんどの場合、図１１の（２）に示す様に保持され、やはり背面ＬＣＤ部は外側に向けられることになる。すなわち、本発明は、以上説明したように、携帯電話端末１０での音声通話時またはメール作成時に、携帯電話端末１０が広告表示プログラムを実行することにより通常使用されない背面表示部１３に広告表示するようにしているため、広告業者サーバ３０の広告業者側は、携帯電話端末１０を使用しているユーザのみならず、周辺の不特定多数の人間に対して情報発信が可能となるため、非常に高い宣伝効果を得ることができる。
【００７８】
また、本発明は、携帯電話端末１０で広告表示プログラムを実行することにより背面表示部１３に広告を表示するようにしているため、メール作成時等に必要とする前面表示部１２のエリアを広告による表示の一部のエリアを占有されない。
【００７９】
また、本発明は、広告表示プログラムを実行するようにしているため、システムの一部に既存のインフラを使用することにより、比較的安価に新たな広告チャネルを確立することができる。
【００８０】
また、本発明は、携帯電話端末１０と広告業者サーバ５０との間の使用料を広告業者側に負担するようにしているため、携帯電話端末１０のユーザ側は、従来の使用感を損なうこと無く一定量の無料通信を享受することができる。
【００８１】
また、本発明は、広告表示プログラムの取得要求があると、ユーザ情報と共にダウンロード実施の日付等の情報をデータベースに保存しておく様にし、同一ユーザによる一定期間内の再利用を制限するようにしているため、ダウンロードを繰り返すことによる不正請求を回避することができる。
【図面の簡単な説明】
【００８２】
【図１】図２の携帯電話端末の外観の構成の一例を示す構成概略図である。
【図２】本発明の実施の形態におけるシステムの構成を示すブロック図である。
【図３】図２の携帯電話端末内の構成の一例を示すブロック図である。
【図４】図２の顧客情報データベース内の構成の一例を示す構成概略図である。
【図５】図２の広告情報データベース内の構成の一例を示す構成概略図である。
【図６】図２のユーザ管理データベース内の構成の一例を示す構成概略図である。
【図７】携帯電話端末と接続サーバと広告業者サーバとの間での広告表示プログラム取得に関するデータのやり取りの動作を示すシーケンス図である。
【図８】携帯電話端末と接続サーバと広告業者サーバとの間での課金情報精算時のデータのやり取りの動作を示すシーケンス図である。
【図９】図２の携帯電話端末が音声通話開始時またはメール作成開始時における動作を示すフローチャートである。
【図１０】図２の携帯電話端末が音声通話終了時またはメール作成終了時における動作を示すフローチャートである。
【図１１】図２の携帯電話端末を利用時における背面表示部への周囲の人の視線状態を示す図である。
【符号の説明】
【００８３】
１０    携帯電話端末
１１    制御部
１２    前面表示部
１３    背面表示部
１４    操作部
１５    無線部
１６    プログラム記憶部
１７    広告情報記憶部
２０    基地局
３０    接続サーバ
４０    顧客情報データベース
５０    広告業者サーバ
６１    広告情報データベース
６２    ユーザ管理データベース
９０１    無線網
９０２    インターネット網
【図１】
2005073114.tif 000003
【図２】
2005073114.tif 000004
【図３】
2005073114.tif 000005
【図４】
2005073114.tif 000006
【図５】
2005073114.tif 000007
【図６】
2005073114.tif 000008
【図７】
2005073114.tif 000009
【図８】
2005073114.tif 000010
【図９】
2005073114.tif 000011
【図１０】
2005073114.tif 000012
【図１１】
2005073114.tif 000013